(57)【要約】【課題】  アドホックシステム等、複数のローカルネットワークを含む電気通信システムにおいて資源割付けを最適化する方法を提供する。【解決手段】  本発明は、複数のローカルネットワークを含む電気通信システムにおいて情報を送信する方法に関し、かかる情報は、少なくとも１つのフレームＦＲｋ（ｋ＝１〜Ｋ）内で送信される。  本発明による方法は、所与のフレーム、たとえばＦＲ１に含まれる少なくとも１つのセクションを生成するセクション作成ステップを含み、かかるセクションは複数のスロット、たとえばＳＬＴ３２を有し、各スロットは、所与の端末にその端末が情報を送信することができるように割り当てられる。  本発明により、端末は、単にその端末に割り当てられたスロット内で上記情報を送信することにより、自己を識別させることができる。【選択図】図２
2006050601.tif 000002
【特許請求の範囲】
【請求項１】
複数のローカルネットワークを含む電気通信システムにおいて情報を送信する方法であって、その情報は少なくとも１つのフレーム内で送信されるものである、情報を送信する方法であり、
前記フレームに含まれる少なくとも１つのセクションを生成するセクション作成ステップを含み、そのセクションは複数のスロットに分割され、各スロットは、所与の端末に対し、該端末が該スロット内に配置される信号の形式で情報を送信することができるように割り当てられることを特徴とする複数のローカルネットワークを含む電気通信システムにおける情報送信方法。
【請求項２】
所与のローカルネットワークに割り当てられる少なくとも１つのコードを定義するコード定義ステップをさらに含み、前記所与のネットワークに含まれるすべての端末は、該端末によって送信される情報を符号化するために前記コードを使用するように意図される、請求項１に記載の複数のローカルネットワークを含む電気通信システムにおける情報送信方法。
【請求項３】
前記電気通信システムに含まれるすべての端末が同じ公称送信電力を使用することを確実にする電力設定ステップをさらに含む、請求項１または２に記載の複数のローカルネットワークを含む電気通信システムにおける情報送信方法。
【請求項４】
複数のローカルネットワークを含む電気通信システムにおいて通信資源を割り当てる方法であって、
前記システムに含まれるさまざまな端末間で通信が確立される接続ステップであって、各通信に、保証された最小サービス品質が関係付けられる、接続ステップを含み、少なくとも１つの送信端末が、それがサポートする通信に対するスループットの切迫した上昇を告知するスループット上昇告知ステップであって、その告知は、前記送信端末により請求項１乃至３のいずれか１項に記載のセクション作成ステップを実施することによって生成される少なくとも１つのフレームセクションを送信することによって行われる、スループット上昇告知ステップをさらに含む、複数のローカルネットワークを含む電気通信システムにおける通信資源の割り当て方法。
【請求項５】
前記送信端末によって送信される前記スループット上昇告知は、前記送信端末が属する前記ローカルネットワークに割り当てられたコードに従って符号化された第１のフラグ信号と、すべてのローカルネットワークが共有する共通コードに従って符号化された第２のフラグ信号と、を送信するために、前記送信端末によって２つの連続したセクション作成ステップを実施することにより生成される、第１および第２のフレームセクションを含むことを特徴とする、請求項４に記載の複数のローカルネットワークを含む電気通信システムにおける通信資源の割り当て方法。
【請求項６】
任意の第３の端末であって、前記スループット上昇告知を分析しかかる分析から前記関連するスループット上昇が前記第３の端末が関連する進行中の通信を危うくすると推定する第３の端末が、少なくとも１つのセクション作成ステップを実施し、前記スループット上昇告知が発生した前記端末に割り当てられたスロットに配置された警告信号を送信することにより、警告フレームセクションを生成する、警告送信ステップを含むことを特徴とする請求項４または５に記載の複数のローカルネットワークを含む電気通信システムにおける通信資源の割り当て方法。
【請求項７】
前記警告は、前記第３の端末が属する前記ローカルネットワークに割り当てられた前記コードに従って符号化された第１の警告信号と、すべてのローカルネットワークが共有する共通コードに従って符号化された第２の警告信号と、を送信するために、前記第３の端末によって２つの連続したセクション作成ステップを実施することにより生成された、第１および第２のフレームセクションを含むことを特徴とする、請求項６に記載の複数のローカルネットワークを含む電気通信システムにおける通信資源の割り当て方法。
【請求項８】
警告信号が送信されたすべての端末が、識別され、前記電気通信システムに含まれる記憶手段に妨害の順序で列挙される警告編集ステップをさらに含むことを特徴とする請求項６または７に記載の複数のローカルネットワークを含む電気通信システムにおける通信資源の割り当て方法。
【請求項９】
前記妨害の順序は、前記記憶手段に列挙された各端末が警告信号の対象であった回数によって確定される、請求項８に記載の複数のローカルネットワークを含む電気通信システムにおける通信資源の割り当て方法。
【請求項１０】
前記スループットを所与の所望の値まで実際に上昇させることなく所定数の連続したスループット上昇告知を発行した端末が、前記所与の所望の値を下回る新たな所望の値の計算を実行する、スループットリセットステップをさらに含むことを特徴とする請求項４乃至９のいずれか１項に記載の複数のローカルネットワークを含む電気通信システムにおける通信資源の割り当て方法。
【請求項１１】
新たな所望の値の前記計算は、前記所与の所望の値を所定率低減することによって実行される、請求項１０に記載の複数のローカルネットワークを含む電気通信システムにおける通信資源の割り当て方法。
【請求項１２】
複数のスロットに分割される少なくとも１つのセクションを含む情報フレームを伝送するように意図された信号であって、各スロットは所与の端末に割り当てられ、前記端末が、請求項４または５に記載の通信資源の割り当て方法を実行しながらスループット上昇告知を送信することができるように、通信資源の割り当て方法を実行するための信号。
【発明の詳細な説明】
【技術分野】
【０００１】
本発明は、複数のローカルネットワークを含む電気通信システムにおいて情報を送信する方法に関し、かかる情報は、少なくとも１つのフレーム内で送信される。
【０００２】
かかる方法は、現在、種々のタイプの電気通信システムで使用されている。かかるシステムは、システムインフラストラクチャが厳密に制御する、いわゆるセルラタイプである場合があり、または、システムインフラストラクチャは比較的大まかに制御し、アドホックシステムの管理の大部分がローカルネットワークに各々含まれるローカルコントローラ間で分散される、いわゆるアドホックタイプである場合もある。そのように管理が分散されることにより、高い柔軟性およびモジュール性が可能となり、そのためアドホックシステムは、変化する動作状態に、特にさまざまな作業負荷に適合することができるが、各ローカルコントローラは、通常、他の特に隣接するローカルネットワークで優勢である動作状態についてほとんどまたはまったく知らずにそれ自体の管理動作を実行する。このため、アドホック電気通信システム技術の既知の状態では、隣接するローカルネットワークに位置する端末が関連する通信間の干渉問題が発生する可能性がある。それは、原則として、莫大な制御情報トラフィックおよび柔軟性の喪失を犠牲にして、管理動作に関連するすべての情報がシステムインフラストラクチャに集中するセルラシステムではありえない。
【０００３】
したがって、所与の通信に関連するスループットの変化が他のすでに確立された通信を干渉しないように、アドホックシステムにおけるアクティブな端末間の制御情報の柔軟な通信が必要とされており、一方で、制御情報のかかる通信は、可能な限り少ない追加のトラフィックを表すべきである。
【０００４】
本発明は、その態様のうちの１つによれば、任意の所与の端末の動作状態に関連する情報を、上記端末の明示的な識別コードを送信する必要なく送信する方法を提供することにより、上述した問題を解決することを目的とする。
【０００５】
実際に、導入部による一方法は、本発明により、上記情報フレームに含まれる少なくとも１つのセクションを生成するセクション作成ステップを含み、そのセクションは複数のスロットに分割され、各スロットは、所与の端末に対し、上記端末が上記スロット内に配置される信号の形式で情報を送信することができるように割り当てられることを特徴とする。
【０００６】
本発明により、端末は、単にその端末に割り当てられたスロット内で上記情報を送信することにより、自己を識別させることができる。これにより、特定のアドレスデータの送信を必要としそのため必然的に通信トラフィックの増大を伴う明示的なアドレス指定とは対照的に、受信端末による送信端末の暗示的なアドレス指定が可能になる。また、以下に説明するように、かかる暗示的なアドレス指定方式により、最初の送信端末に割り当てられたスロット内で信号を返信することによって容易な応答が可能になる。そして、各端末は、それ自体の割り当てられたスロットを連続的かつ系統的に吟味することが必要であることが好ましい。
【０００７】
所与の端末に割り当てられたスロットに配置される信号を、上記端末が生成するパルスによって単純に構成してもよいが、かかる信号はまた、パルス列で存在してもよく、それらの割り当てられたスロット内におけるそれらの位置は、上記信号を符号化するために使用されたコードに特有の事前に定義された２進コードワードに含まれるビット値によって確定される。
【０００８】
本発明の特定の実施形態によれば、上述したような方法は、所与のローカルネットワークに割り当てられる少なくとも１つのコードを定義するコード定義ステップをさらに含み、上記所与のネットワークに含まれるすべての端末は、その端末によって送信される情報を符号化するために上記コードを使用するように意図される。
【０００９】
各ネットワークがそれ自体の専用コードを所有するという事実により、上述したスロット化によって得られるアドレス指定空間のサイズを、あり得るコードの数を掛けた分だけ増大させることができる。それは、それによって受信側が、最初に使用されたコードを識別することにより、同じスロット内で送信されたが異なるコードに従って符号化された２つの異なる信号のそれぞれの発生元を特定することが可能となり得るためである。
【００１０】
先の実施形態の代りにまたはそれに追加して使用してもよい、本発明の別の特定の実施形態によれば、上述したような方法は、電気通信システムに含まれるすべての端末が同じ公称送信電力を使用するのを確実にする電力設定ステップをさらに含む。
【００１１】
すべての信号が本来本質的に同じ電力レベルで送信されるという事実により、かかる信号の受信側は、上記信号の最初の送信側がその隣接する周辺に位置しているか否か、すなわち、上記最初の送信側が同じローカルネットワークに属しているか否かを判断することができ、それにより、本発明のこの他の実施形態によって送信される信号の情報内容が充実する。さらに、システムに含まれるすべての送信側に対し同じ公称送信電力を使用することにより、任意の受信側が、受信信号の最初の電力を知ることができ、それにより上記受信側が、上記信号が送信された通信チャネルの利得を定量化することができる。これにより、かかる利得評価によって、任意の受信側が、任意の所与の送信スループットに対して最初の送信側が生成する干渉レベルを定量化することができ、したがって上記最初の送信側が上記受信側によって供給されるべきサービス品質に対して与える可能性のある影響を評価することができる。
【００１２】
上で定義した暗示的なアドレス指定の使用は複合的である。ここで、本発明の上述した実施形態の特定の適用についてより正確に説明する。
【００１３】
実際には、先に説明したように、本発明を、非常に多くの制御情報を生成することなく、アドホック電気通信システムにおいて所与の通信に関連するスループットの変化が他のすでに確立された通信を干渉しないようにするために有利に使用することができる。
【００１４】
したがって、その態様の別の態様によれば、本発明はまた、複数のローカルネットワークを含む電気通信システムにおいて通信資源を割り当てる方法に関し、その方法は、上記システムに含まれるさまざまな端末間で通信が確立される接続ステップであって、各通信に、保証された最小サービス品質が関係付けられる、接続ステップを含み、少なくとも１つの送信端末が、それがサポートする通信に対するスループットの切迫した上昇を告知するスループット上昇告知ステップであって、その告知が、上記送信端末により上述のセクション作成ステップを実施することによって生成される少なくとも１つのフレームセクションを送信することによって行われる、スループット上昇告知ステップをさらに含む。
【００１５】
かかるスループット上昇告知を送信することにより、所与の通信のスループットがまもなく上昇するということを同報通信することができ、この告知の送信側を、告知が実際に送信されるスロットの位置によって識別することができる。
【００１６】
前記送信端末によって送信されるスループット上昇告知は、上記送信端末が属するローカルネットワークに割り当てられたコードに従って符号化された第１のフラグ信号と、すべてのローカルネットワークが共有する共通コードに従って符号化された第２のフラグ信号と、を送信するために、上記送信端末によって２つの連続したセクション作成ステップを実施することにより生成される、第１および第２のフレームセクションを含むことが好ましい。
【００１７】
２つの連続したフラグ（flagging）信号を符号化するために２つの異なるコードを使用することにより、入来信号のあり得る干渉に対し２自由度が与えられる。たとえば、連続した第１および第２のフラグ信号を復号することができる受信側は、最初の送信側がそれ自体のローカルネットワークに属しているということが分かり、第２のフラグ信号しか復号することができない受信側は、最初の送信側が別のローカルネットワークに属していることが分かる。このため、本発明の本実施形態により、端末が、異なるコードによって符号化されたが同じスロットで送信される入来信号（それは、本来、その入来信号が異なるローカルネットワークに属している端末によって送信されたことを示す）を識別することができるようにすることにより、受信する告知の情報内容を充実させることができる。
【００１８】
この他の態様による方法は、任意の第３の端末であって、上記スループット上昇告知を分析しかかる分析から関連するスループット上昇が上記第３の端末が関連する進行中の通信を危うくすると推定する第３の端末が、少なくとも１つのセクション作成ステップを実施し、スループット上昇告知が発生した端末に割り当てられたスロットに配置された警告信号を送信することにより、警告フレームセクションを生成する、警告送信ステップを含む利点がある。
【００１９】
かかる警告送信ステップにより、任意の第３の端末であって、切迫した公表されたスループット上昇がそれらの進行中の通信を妨げる可能性があると判断した第３の端末が、最初にスループット上昇告知を同報通信した端末に対し応答を、かかる応答に対する宛先アドレスを実際に確定する必要なく送信することができる。したがって、暗示的なアドレス指定方式により、本発明によっていかなるアドレス符号化／復号も行う必要がないため、非常に迅速な情報交換が可能になるとともに、計算資源がさらに節約される。
【００２０】
上述したような本発明の態様の別の実施形態において、警告は、上記第３の端末が属するローカルネットワークに割り当てられたコードに従って符号化された第１の警告信号と、すべてのローカルネットワークが共有する共通コードに従って符号化された第２の警告信号と、を送信するために、上記第３の端末によって２つの連続したセクション作成ステップを実施することにより生成された、第１および第２のフレームセクションを含む。
【００２１】
２つの連続した警告信号を符号化するために２つの異なるコードを使用することにより、入来信号のあり得る解釈に対して２自由度が得られ、それにはすでに上述した利点がある。
【００２２】
本発明の変形によれば、上述したような方法は、警告信号が送信されたすべての端末が、識別され、電気通信システムに含まれる記憶手段に妨害の順序で列挙される警告編集ステップをさらに含むことができる。
【００２３】
かかる編集ステップにより、システムの動作の大部分を妨げる特定の端末を識別することを可能にする知識全体をシステムレベルで作成することによって、通信資源を最適化するために行われるステップを調和させることが可能となり得る。そして、かかる知識により、限られた数の端末のスループット、またはより一般的にはかかる限られた数の端末に過度に影響を及ぼすサービス品質を低減することにより、他のすべての端末の動作状態を拡張するために、それら限られた数の端末のみに対して作用することができる。
【００２４】
本発明の別の変形によれば、上述したような方法は、上記スループットを所与の所望の値まで実際に上昇させることなく所定数の連続したスループット上昇告知を発行した端末が、上記所与の所望の値を下回る新たな所望の値の計算を実行する、スループットリセットステップをさらに含むことができる。
【００２５】
かかるリセットステップにより、各端末は、本システムによってその要求を現実的には満足させることができないと認める場合に、これら要求を制限することができるようにすることによって、それ自体の規律を維持することができる。
【００２６】
新たな所望の値の計算は、たとえば、所与の所望の値を所定率低減することによって実行されることができる。
【００２７】
その態様のさらに別の態様によれば、本発明はまた、複数のスロットに分割される少なくとも１つのセクションを含む情報フレームを伝送するように意図された信号であって、各スロットは、前記端末が、上述の通信資源を割り当てる方法を実施しながらスループット上昇告知を送信することができるように、所与の端末に割り当てられる、信号に関する。
【００２８】
上述した本発明の特徴は、他の特徴と同様に、添付図面に関連して与えられる以下の説明を読むことによってより明確になるであろう。
【００２９】
図１は、この例では、実際には各々最大通信範囲がおよそ１０ｍのピコネットである、３つのローカルネットワークＬＮ１、ＬＮ２およびＬＮ３を含む、アドホック電気通信システムＳＹＳＴを概略的に表す。各ローカルネットワークＬＮ１、ＬＮ２またはＬＮ３は、ピコネットコントローラＰＮＣ１、ＰＮＣ２またはＰＮＣ３を含み、それは、そのピコネットＰＮＣ１、ＰＮＣ２またはＰＮＣ３内で、ローカルネットワークＬＮ１、ＬＮ２またはＬＮ３にそれぞれ含まれる端末（Ｔ１１、Ｔ１２、Ｔ１３）、（Ｔ２１、Ｔ２２、Ｔ２３）または（Ｔ３１、Ｔ３２、Ｔ３３およびＴ３４）により交換されるトラフィックを管理するように意図されている。
【００３０】
本発明は、非常に多くの制御情報を生成することなく、所与の通信に関連するスループットの変化がすでに確立された通信を干渉しないようにすることにより、かかるアドホックシステムＳＹＳＴ内で交換される通信の最適な調整を可能にすることを目的とする。
【００３１】
このため、本発明による通信資源を割り当てる方法は、通信が、上記システムＳＹＳＴに含まれるさまざまな端末Ｔｉｊ（ｉ＝１〜３、それぞれｊ＝３、３、４）間で確立される接続ステップを含み、各通信にはサービスの保証された最低品質が関連付けられている。この方法は、少なくとも１つの送信端末が、それがサポートする通信に対するスループットの切迫した上昇を告知する、スループット上昇告知ステップをさらに含み、それによって、すべての隣接する端末に対し、それらの付近で確立された通信がまもなくより干渉しやすくなる可能性があることを同報通信することができ、スループット上昇告知の送信側を、その告知が実際に送信されるスロットの位置によって識別することができる。
【００３２】
この例では、端末Ｔ３２は、スループット上昇告知（Ｔｉ３、Ｔｉ３ｃ）を、上記受信端末Ｔ３２が属するローカルネットワークＬＮ３に割り当てられたコードに従って符号化された第１のフラグ信号Ｔｉ３の形式で送信し、その後、すべてのローカルネットワークＬＮ１、ＬＮ２およびＬＮ３によって共有される共通コードに従って符号化された第２のフラグ信号Ｔｉ３ｃの形式で送信する。
【００３３】
本発明のこの態様により、端末Ｔ３２によって構成される、可能性のある妨害の単純かつ直接的な識別が、フラグ信号Ｔｉ３およびＴｉ３ｃを含むスロットの位置によって与えられる。そして、端末のうち、この予想される受信側Ｔ３２がそれら自体の進行中の通信を妨害する可能性があると判断するすべての端末が、上記端末Ｔ３２に標準的に割り当てられた１つまたはいくつかのスロットで端末Ｔ３２に対し応答を送信してもよい。
【００３４】
２つの連続したフラグ信号Ｔｉ３およびＴｉ３ｃを符号化するために２つの異なるコードを使用することにより、入来信号のあり得る解釈に対し２自由度が与えられる。たとえば、たとえば端末Ｔ３４のように、連続した第１および第２のフラグ信号Ｔｉ３およびＴｉ３ｃを復号することができる受信側は、予想される受信側Ｔ３２がそれ自体のローカルネットワークＬＮ３に属することが分かり、たとえば端末Ｔ２２のように、第２のフラグ信号Ｔｉ３ｃしか復号することができない受信側は、予想される受信側Ｔ３２がそれ自体のローカルネットワーク以外のローカルネットワークに属することが分かる。さらに、異なるローカルネットワークに対して異なるコードを使用することにより、端末は、異なるローカルネットワークに属する２つの別々の端末によって送信される別々のフラグ信号を受信し、それらが同じスロットに配置されている場合であっても識別することができる。
【００３５】
このように、本発明の本実施形態は、特にすべての送信信号が通信確立段階中に同じ送信電力で送信される場合に、受信する告知の情報内容を充実させる。実際には、同じ端末が電力レベルおよび／または符号化方式が異なる連続したフラグ信号を検出する場合、この端末は、この事実から、異なるローカルネットワークに属している別々の端末が干渉する通信を開始しようとしているということを推定することができ、各電力レベルに基づいて、上記干渉する通信が、その端末がそれ自体の確立された通信に対して提供する事前に定義された品質レベルに対して脅威を与えるか否かを判断することができる。
【００３６】
ここで、本発明の代替実施形態では、すべての端末が、電気通信システムＳＹＳＴで使用される各コードを、そのコードが割り当てられる各ローカルネットワークの関連するネットワーク識別と関係付けるコードテーブルを備えるコードメモリを有してもよい、ということに留意すべきである。そして、かかる代替実施形態では、スループット上昇告知（Ｔｉ３、Ｔｉ３ｃ）を送信する任意の端末は、上記告知にそれ自体のネットワーク識別を含めてもよく、それにより、かかる告知のいかなる受信側も、その告知が発生したネットワークに割り当てられた関連コードをそのコードテーブルから抽出し、従って上記告知に含まれるすべての情報を有効に復号し、故に、たとえば、上記情報が所望の上昇したスループット値を明示するものである場合のように、計画されたスループット上昇により進行中の通信に与えられる脅威をより正確に定量化することができる。
【００３７】
上述した方法はまた、スループット上昇告知（Ｔｉ３、Ｔｉ３ｃ）を分析した端末、この例では端末Ｔ２２およびＴ３４が、スループット上昇告知（Ｔｉ３、Ｔｉ３ｃ）が発生した端末Ｔ３２に割り当てられるべきスロットに配置されたそれぞれの警告信号（Ｗ３、Ｗ３ｃ）および（Ｗ２、Ｗ２ｃ）を、上記端末Ｔ３２に対して告知されたスループット上昇が進行中の通信を危うくするということを警告するために生成する、警告送信ステップを含むことが好ましい。
【００３８】
各警告は、関連する端末Ｔ２２およびＴ３４が属するローカルネットワークＬＮ２およびＬＮ３に割り当てられたコードに従って符号化される第１の警告信号Ｗ２およびＷ３と、すべてのローカルネットワークによって共有される共通コードに従って符号化される第２の警告信号Ｗ２ｃおよびＷ３ｃと、を含む。
【００３９】
システムＳＹＳＴは、警告信号が送信された端末のすべての識別、たとえばＩＤ（Ｔ３２）を、妨害の順に格納する警告編集手段ＷＣＭをさらに有してもよく、上記識別は、たとえば、各列挙される端末、たとえばＴ３２がたとえば警告信号の対象であった回数に従って列挙される。
【００４０】
かかる編集手段ＷＣＭにより、システムＳＹＳＴの動作の大部分を妨害する特定の端末を識別することを可能にする知識全体をシステムレベルで作成することによって、通信資源を最適化するために行われるステップを調和させることが可能となり得る。そして、かかる知識により、限られた数の端末のスループット、またはより一般的にはその限られた数の端末に対して過度に影響を及ぼすサービス品質を低減することにより、他のすべての端末の動作状態を拡張するために、それら限られた数の端末に対してのみ作用することができる。
【００４１】
各端末は、それ自体の割り当てられたスロットを連続的にかつ系統的に吟味することが必要とされることが好ましい。最初にスループット上昇を要求した端末Ｔ３２は、一般に、そのスループット上昇告知（Ｔｉ３、Ｔｉ３ｃ）の最初の送信によって生成がトリガされた警告信号（Ｗ３、Ｗ３ｃ）および（Ｗ２、Ｗ２ｃ）の内容を分析することができ、したがって、上記スループット上昇が現実的に実際に実行されるべきであるか否かを判断することができる。かかる分析の結果に基づき、端末Ｔ３２は、そのスループット上昇を確証するかまたは反証する（infirm）。端末Ｔ３２による確証に続き、スループット上昇が実行され、一方、反証により、端末Ｔ３２は、かかる上昇が依然として必要とされる場合は後に新たなスループット上昇告知（Ｔｉ３、Ｔｉ３ｃ）を送信する必要がある。
【００４２】
各端末に、所定数の連続したスループット上昇告知が送信された後に起動されるように意図されたスループットリセット手段（図示せず）を設けてもよく、それら告知のいずれの後にも、現スループットは、増大した所望の値まで実際に上昇しない。そして、かかるスループットリセット手段は、上記所与の所望の値を下回る新たな所望のスループット値の計算を実行し、それにより、各端末は、その要求を現実的にはシステムＳＹＳＴによって満足することができないことを認めると、それら要求を制限することができるようにすることにより、それ自体の規律を維持することができる。
【００４３】
新たな所望のスループット値ＮＤＴの計算を、たとえば、所与の所望の値ＤＴを所定率低減することにより、実行してもよい。たとえば、ＮＤＴ＝０．７５×ＤＴまたはＮＤＴ＝ＤＴ−２５％である。
【００４４】
図２は、上述したアドホック電気通信システムで送信されるさまざまなフレームを示す。スーパーフレームＳＰＦＲは、接続要求を管理するために必要なすべての制御情報を含むように意図された接続確立フレームＦＲ０と、各々、柔軟な資源管理を実行するために必要な制御情報を含むように意図された通信管理サブフレームＣＭＳＦ、および上記電気通信システムに含まれる端末間で実際に交換されるデータを伝送するように意図されたデータ情報サブフレームを含む通信フレーム（ＦＲ１、…ＦＲＫ）と、を含む。
【００４５】
制御情報フレームＦＲ０は、同期する目的ですべての端末が使用するビーコンを伝送するように意図された第１のセクションＳＹＮＣを含む。
【００４６】
制御情報フレームＦＲ０の続くセクションでは、制御情報ＣＩＮＦが、システムに含まれるさまざまな端末間の新たな接続を実行するために必要なすべてのパラメータを定義し、それらパラメータは、たとえば確立される各通信に割り当てられるデータスループットおよびビット誤り率に関して、サービス品質を表す。
【００４７】
続く通信管理フレームＦＲ１の２つの連続するセクションでは、その割り当てられたスロットＳＬＴ３２によって識別される所与の端末Ｔ３２が、スループット上昇告知（Ｔｉ３、Ｔｉ３ｃ）を、その端末Ｔ３２が属するローカルネットワークＬＮ３に割り当てられたコードに従って符号化された第１のフラグ信号Ｔｉ３の形式で送信し、その後、すべてのローカルネットワークによって共有される共通コードに従って符号化された第２のフラグ信号Ｔｉ３ｃの形式で送信する。それら第１および第２のフラグ信号は、端末Ｔ３２に割り当てられたスロットＳＬＴ３２に配置されている。
【００４８】
各フラグ信号Ｔｉ３およびＴｉ３ｃは、たとえば、パルス列で存在してもよく、スロットＳＬＴ３２内のそれらの位置は、関連するフラグ信号を符号化するために使用されたコードに特有の事前に定義された２進コードワードに含まれるビット値によって確定される。
【００４９】
フレームＦＲ１の２つの続くセクションでは、上記スループット上昇告知（Ｔｉ３、Ｔｉ３ｃ）を分析しかかる分析から関連するスループット上昇が進行中の通信を危うくすると推定した端末Ｔ２２およびＴ３４が、警告（Ｗ２、Ｗ２ｃ）および（Ｗ３、Ｗ３ｃ）を、それら端末Ｔ２２、Ｔ３４が属するローカルネットワークＬＮ２およびＬＮ３に割り当てられたコードに従って符号化された第１の警告信号Ｗ２、Ｗ３と、すべてのローカルネットワークが共有する共通コードに従って符号化された第２の警告信号Ｗ２ｃ、Ｗ３ｃと、の形式で送信し、それら警告信号は、スループット上昇告知（Ｔｉ３、Ｔｉ３ｃ）を最初に発行した端末Ｔ３２に割り当てられたスロットＳＬＴ３２に配置されている。
【００５０】
各警告信号Ｗ２、Ｗ２ｃ、Ｗ３およびＷ３ｃは、たとえば、パルス列で存在してもよく、スロットＳＬＴ３２内におけるそれらの位置は、上記警告信号を符号化するために使用されたコードに特有の事前に定義された２進コードワードに含まれるビット値によって確定される。
【００５１】
ここで、両端末Ｔ２２およびＴ３４が警告（Ｗ２、Ｗ２ｃ）および（Ｗ３、Ｗ３ｃ）を同じスロットＳＬＴ３２で同時に送信する場合、端末Ｔ２２がそれ自体のネットワーク識別を送信した場合と、端末Ｔ３２がすべてのローカルネットワークに割り当てられたコードを含むコードテーブルを含む場合と、を除き、端末Ｔ３２は、端末Ｔ２２によって送信される、それ自体のコード、すなわち特に端末Ｔ２２が属するローカルネットワークＬＮ２に割り当てられたコードに従って符号化された第１の警告信号Ｗ２を復号することができない。しかしながら、端末Ｔ３２は、端末Ｔ２２によって送信される、共通コードに従って符号化された第２の警告信号Ｗ２ｃを復号することができ、したがって、上記第２の警告信号Ｗ２ｃから、端末Ｔ３２が実行しようとしているスループット上昇が隣接するローカルネットワークに属している端末を妨げる可能性があるということを推定することができる。したがって、本発明の本実施形態により、制御情報の管理を集中化する必要なく、かかる制御情報をネットワークからネットワークに拡散させることができる。
【００５２】
さらに、ここで示した状況では、警告（Ｗ３、Ｗ３ｃ）は、端末Ｔ３２に対し、それが属するローカルネットワークのコードが第１の警告信号Ｗ３を符号化するために使用されたため、要求された接続がそれ自体のローカルネットワークと同じローカルネットワークに属している端末に悪影響を与えるということを示す。警告（Ｗ３、Ｗ３ｃ）はまた、警告信号Ｗ３、Ｗ３ｃの電力がその最高レベルであるため、端末Ｔ３２に対し、この警告の送信側がそれに隣接した近辺に位置していることも示す。かかる状況では、端末Ｔ３２は、好ましくは少なくとも一瞬その計画されたスループット上昇を放棄するべきである。
【００５３】
しかしながら、この図の底部に示すように端末Ｔ２２のみが警告（Ｗ２、Ｗ２ｃ）を送信する場合、この警告は、それが第１の警告信号Ｗ２を符号化するために異なる符号を使用したため、その要求された接続が別のローカルネットワークに属する端末にしか悪影響を与えず、その端末はさらに、警告信号Ｗ２、Ｗ２ｃの電力が比較的低レベルであるため、端末Ｔ３２の隣接した近辺に位置していない、ということを示す。かかる場合、端末Ｔ３２は、その計画されたスループット上昇を実施するように選択してもよい。
【図面の簡単な説明】
【００５４】
【図１】本発明が具現化される電気通信システムを示す概略図である。
【図２】本発明を用いて作成されるセクションを含み上記システムで送信されることが意図されたフレームを示すクロノグラムである。
【符号の説明】
【００５５】
ＣＩＮＦ  制御情報
ＣＭＳＦ  通信管理サブフレーム
ＬＮ１、ＬＮ２、ＬＮ３  ローカルネットワーク
ＰＮＣ１、ＰＮＣ２、ＰＮＣ３  ピコネットコントローラ
ＳＬＴ３２  スロット
Ｔ１１、Ｔ１２、Ｔ１３  端末
Ｔ２１、Ｔ２２、Ｔ２３  端末
Ｔ３１、Ｔ３２、Ｔ３３、Ｔ３４  端末
【図１】
2006050601.tif 000003
【図２】
2006050601.tif 000004
【外国語明細書】
2006050601.tif 000005
2006050601.tif 000006
2006050601.tif 000007
2006050601.tif 000008
2006050601.tif 000009
2006050601.tif 000010
2006050601.tif 000011
2006050601.tif 000012
2006050601.tif 000013
2006050601.tif 000014
2006050601.tif 000015
2006050601.tif 000016
2006050601.tif 000017
2006050601.tif 000018
2006050601.tif 000019
2006050601.tif 000020
2006050601.tif 000021
2006050601.tif 000022
2006050601.tif 000023